(57)【要約】【課題】使用中に毛髪を挟みにくくすることができる電動式ブラシ装置を提供すること。【解決手段】可撓性を有する材質から成る基部１６及びこの基部１６の面に対して交差する方向に突出して設けられた複数の突起１７とを有して構成されるブラシ部３と、前記基部１６の周縁を着脱自在に保持する枠体１４及び前記基部１６をその面と交差する方向に撓ませる往復駆動手段８とを有する本体２とで構成される電動式ブラシ装置１であって、複数の前記突起１７を、前記基部１６の中心Ｘ回りに複数列環状に形成すると共に、互いに隣接する突起列に属する前記突起１７を、前記基部１６の中心Ｘから延びる仮想輻線Ｒ１，Ｒ２，Ｒ３上に排他的に設けることで、前記ブラシ部３を頭皮Ｓ等に押し当てて前記突起１７を撓ませても、これらが互いに当接しにくいので、これらの突起１７間に毛髪を挟みにくくすることができる。【選択図】図３
2010162182.tif 000002
【特許請求の範囲】
【請求項１】
駆動部と、この駆動部によって動作するブラシ部とを有し、前記ブラシ部が、可撓性を有する材質から成る基部と、この基部の面に対して交差する方向に突出して設けられた複数の突起とを有して構成され、前記駆動部が、前記ブラシ部の基部の周縁を着脱自在に保持する枠体と、前記基部の面と交差する方向にこの基部を撓ませる往復駆動手段とを有して構成される電動式ブラシ装置において、
前記基部の中心回りに、それぞれ複数の前記突起を有する突起列を同心状に複数設けると共に、前記基部の中心から何れかの突起列に属する突起を通って延びる輻線を前記突起列に属する突起毎に定義した場合、前記基部の中心から前記各輻線の間を通って延びるよう定義される他の輻線上にのみ、前記突起列の内側又は外側に隣接する他の突起列に属する突起を設けたことを特徴とする電動式ブラシ装置。
【請求項２】
前記基部の中心から前記突起を通って延びるよう定義される全ての前記輻線上に、前記突起がそれぞれ一つだけ設けられることを特徴とする請求項１記載の電動式ブラシ装置。
【発明の詳細な説明】
【技術分野】
【０００１】
本発明は、動力駆動の電動式ブラシ装置に関するものであり、特に人体の頭皮等を洗浄したりマッサージしたりするための電動式ブラシ装置に関するものである。
【背景技術】
【０００２】
従来、この種の電動式ブラシ装置としては、内部に往復駆動手段が設けられた駆動部によって、ブラシ部の基板の周縁が前記駆動部に固定された状態で、前記基板を湾曲凸状態と湾曲凹状態との間で繰り返し変形させることで、前記基板に対して交差する方向に突出して設けられた複数の突起を繰り返し相互に開閉させ、この動作によって、頭皮等を洗浄したりマッサージしたりするものが知られている（例えば、特許文献１参照。）。なお、前記突起は、比較的軟質な合成樹脂やエラストマー等、可撓性及び弾性を有する材質によって形成されている。
【先行技術文献】
【特許文献】
【０００３】
【特許文献１】特許第３９９１３６０号公報
【発明の概要】
【発明が解決しようとする課題】
【０００４】
しかしながら、このような電動式ブラシ装置においては、洗浄効果やマッサージ効果を高めるために前記突起の数を多くすると、毛髪の生えている頭部に対して使用する場合、前記突起が撓むことで、突起同士によって毛髪が挟まれてしまう虞があった。そして、前記突起によって毛髪が挟まれると、使用者が痛みを感じたり、或いは毛髪が抜けてしまったりする虞があった。
【０００５】
本発明は以上の問題点を解決し、使用中に毛髪を挟みにくくすることができる電動式ブラシ装置を提供することを目的とする。
【課題を解決するための手段】
【０００６】
本発明の請求項１に記載の電動式ブラシ装置は、駆動部と、この駆動部によって動作するブラシ部とを有し、前記ブラシ部が、可撓性を有する材質から成る基部と、この基部の面に対して交差する方向に突出して設けられた複数の突起とを有して構成され、前記駆動部が、前記ブラシ部の基部の周縁を着脱自在に保持する枠体と、前記基部の面と交差する方向にこの基部を撓ませる往復駆動手段とを有して構成される電動式ブラシ装置において、前記基部の中心回りに、それぞれ複数の前記突起を有する突起列を同心状に複数設けると共に、前記基部の中心から何れかの突起列に属する突起を通って延びる輻線を前記突起列に属する突起毎に定義した場合、前記基部の中心から前記各輻線の間を通って延びるよう定義される他の輻線上にのみ、前記突起列の内側又は外側に隣接する他の突起列に属する突起を設けたものである。
【０００７】
また、本発明の請求項２に記載の電動式ブラシ装置は、請求項１において、前記基部の中心から前記突起を通って延びるよう定義される全ての前記輻線上に、前記突起がそれぞれ一つだけ設けられるものである。
【発明の効果】
【０００８】
本発明の請求項１に記載の電動式ブラシ装置は、以上のように構成することにより、ブラシ部を頭皮等に押し当てた際に、何れかの突起列に属する突起が撓む方向に、隣接する他の突起列に属する突起が位置しないので、何れかの突起列に属する突起と、隣接する他の突起列に属する突起とを当接しにくくすることができる。これによって、何れかの突起列に属する突起と、隣接する他の突起列に属する突起とで、毛髪等を挟みにくくすることができる。
【０００９】
また、前記基部の中心から前記突起を通って延びるよう定義される全ての前記輻線上に、前記突起がそれぞれ一つだけ設けられるように構成することで、全ての前記突起が、前記基部の中心から延びる輻線上に重複しないので、前記各突起列の間隔を狭くして前記突起の数を多くしたとしても、これらの突起同士で毛髪等を挟みにくくすることができる。
【図面の簡単な説明】
【００１０】
【図１】本発明の第一の実施形態を示す電動式ブラシ装置の側面図である。
【図２】同、無負荷状態において、ブラシ部の基板が湾曲凸状態となった場合における、一部を切り欠いた側面図である。
【図３】同、図２の状態のブラシ部を突起側から見た外観図である。
【図４】同、無負荷状態において、ブラシ部の基板が湾曲凹状態となった場合における、一部を切り欠いた側面図である。
【図５】同、図４の状態のブラシ部を突起側から見た外観図である。
【図６】同、突起を頭皮に押し当てた状態において、ブラシ部の基板が湾曲凸状態となった場合における、一部を切り欠いた側面図である。
【図７】同、突起を頭皮に押し当てた状態において、ブラシ部の基板が湾曲凹状態となった場合における、一部を切り欠いた側面図である。
【図８】本発明の第二の実施形態を示す電動式ブラシ装置のブラシ部を突起側から見た外観図である。
【図９】同、ブラシ部の断面図である。
【図１０】本発明の更に他の実施形態を示す電動式ブラシ装置のブラシ部を突起側から見た外観図である。
【発明を実施するための形態】
【００１１】
以下、本発明の第一の実施形態について、図１乃至図７に基づいて説明する。１は本発明の電動式ブラシ装置である。この電動式ブラシ装置１は、駆動部としての本体２と、この本体２に対して着脱自在に保持されるブラシ部３とで構成されている。
【００１２】
前記本体２は、合成樹脂等によって構成される外殻体４に、二次電池５と、図示しない制御回路と、これらの二次電池５及び制御回路によって作動させられる電動機６と、この電動機６の駆動軸の回転速度を減速する減速機構７と、この減速機構７を介して伝えられた前記電動機６の駆動軸の回転運動を往復運動に変換する往復駆動手段８とを収容して構成されている。なお、前記往復駆動手段８は、回転運動を往復運動に変換出来るものであれば良く、例えば、クランク機構やスコッチヨーク機構等を用いることができる。また、前記本体２の防水性を保つことができるのであれば、二次電池５に代えて一次電池を用いても良い。これによって、駆動部としての前記本体２は、前記電動機６の駆動軸の回転運動が、前記減速機構７によって減速された後、前記往復駆動手段８によって往復運動に変換され、この往復駆動手段８を構成する往復部材９を、図１における左右方向に往復運動させるように構成されている。そして、前記外殻体４には開口部１０が形成されており、この開口部１０が合成ゴム等でダイヤフラム状に形成された防水膜１１によって水密に閉塞されている。また、前記防水膜１１の中央部分は、前記往復部材９とフック保持体１２とで挟持された状態で、ビス等で締め付け固定することで、前記往復部材９とフック保持体１２の間で水密に保持されている。更に、前記フック保持体１２には、金属製の線材等を曲げて形成したフック１３が取り付けられている。そして、前記電動機６を作動させることで、前記往復駆動手段８の往復部材９が往復動し、これに伴ってダイヤフラム状の防水膜１１が撓むと共に、前記フック保持体１２に取り付けられたフック１３が往復動するように構成されている。なお、前記外殻体４には、前記開口部１０を囲むように枠体１４が形成されていると共に、この枠体１４の全周に亘って、この枠体１４の外側に突出した係止受部１５が形成されている。
【００１３】
前記ブラシ部３は、基部１６と、この基部１６に設けられた複数の突起１７とで構成されている。なお、本実施形態では、前記基部１６と突起１７とを一体に形成したが、前記基部１６と突起１７とを別体に形成した後、結合させても良い。前記基部１６は、可撓性を有するエラストマー等によって形成されている。そして、前記基部１６は、突起１７側から見て略円形であると共に、自然状態において、中央が外側に滑らかに膨らんだ凸形状に形成されている。また、前記基部１６は、その外周からリブ１８が全周にわたって一体に形成されていると共に、このリブ１８の内側に、前記係止受部１５と係合する係止部１９が形成されている。更に、前記基部１６の裏面には、その中心部に前記フック１３を受けるフック受部２０が形成されている。また、前記突起１７は、前記基部１６の中心Ｘを基準として、同心円状に複数列、本実施形態では３列、設けられている。即ち、前記突起１７の群は、前記基部１６の最外周の仮想外側輪Ｃ１上に設けられた第一突起列２１と、前記仮想外側輪Ｃ１の内側の仮想中間輪Ｃ２上に設けられた第二突起列２２と、前記仮想中間輪Ｃ２の内側の仮想内側輪Ｃ３上に設けられた第三突起列２３とで構成されている。また、前記ブラシ部３の自然状態において、前記各突起１７は、前記基部１６上に全体として先端が外側に広がった状態で設けられている。更に、前記各突起１７は、先端側がやや細くなった略棒状に形成されていると共に、その先端が丸く形成されている。
【００１４】
そして、前記第一突起列２１に属する突起１７を通って前記基部１６の中心Ｘから延びるように定義される複数の第一仮想輻線Ｒ１及び第三仮想輻線Ｒ３間を通るように、前記第一突起列２１に隣接する前記第二突起列２２に属する突起１７を通って前記基部１６の中心Ｘから延びる複数の第二仮想輻線Ｒ２が定義される。（逆に、前記第一仮想輻線Ｒ１及び第三仮想輻線Ｒ３が、それぞれ前記仮想輻線Ｒ２間を通るように定義されていると言うこともできる。）また、前記各第二仮想輻線Ｒ２間を通るように、前記第二突起列２２に隣接する前記第三突起列２３に属する突起１７を通って前記基部１６の中心Ｘから延びる複数の前記第三仮想輻線Ｒ３が定義される。（なお、前記仮想輻線Ｒ１，Ｒ２，Ｒ３は、それぞれ前記基部１６の中心Ｘを通る直線ではなく、前記基部１６の中心Ｘを始点とする半直線である。）そして、前記第一仮想輻線Ｒ１上には、前記第一突起列２１に属する突起１７のみが設けられており、前記第一突起列２１に隣接する第二突起列２２に属する突起１７は設けられていない。また、前記第二仮想輻線Ｒ２上には、前記第二突起列２２に属する突起１７のみが設けられており、前記突起列２２に隣接する前記第一及び第三突起列２１，２３に属する突起１７は設けられていない。更に、前記第三仮想輻線Ｒ３上には、離間する前記第一及び第三突起列２１，２３に属する突起１７が設けられているものの、前記第一及び第三突起列２１，２３に隣接する前記第二突起列２２に属する突起１７は設けられていない。なお、本実施形態では、説明の簡略化のために、前記ブラシ部３の基部１６の形状を円形にしたが、楕円形等、他の形状にしても良い。また、本実施形態では、前記第一突起列２１に属する突起１７が２４本、前記第二突起列２２に属する突起１７が２４本、前記第三突起列２３に属する突起１７が１２本設けられているので、前記第一仮想輻線Ｒ１が２４本、前記第二仮想輻線Ｒ２が２４本、前記第三仮想輻線Ｒ３が１２本（但し、前記第三仮想輻線Ｒ３は前記第一仮想輻線Ｒ１の半数と一致する）定義されるが、図面が煩雑になることを防ぐため、図３及び図５では、説明に必要な最低限の表記にとどめた。更に、本実施形態において、図６及び図７では、動作の説明に最低限必要な突起１７のみを記載し、その他の突起１７は省略した。
【００１５】
次に、本実施形態の作用について説明する。まず使用者は、前記ブラシ部３を把持し、このブラシ部３の基部１６の裏面に形成されたフック受部２０を前記本体２の外殻体４の開口部１０内で露出した前記フック１３に掛けた後、前記係止部１９を前記係止受部１５に係合させることで、前記ブラシ部３を前記本体２に対して取り付ける。なお、前記フック１３が最も外側に突出した状態で前記本体２に取り付けられた前記ブラシ部３は、このブラシ部３の自然状態における形状とほぼ等しい形状となっている。そして、このように前記ブラシ部３が前記本体２に取り付けられた状態で、使用者が前記本体２を把持し、図示しないスイッチを操作することで、前記電動機６が作動して、この電動機６の駆動軸が回転する。そして、この駆動軸６の回転運動が、前記減速機構７によって減速された後、前記往復駆動手段８によって往復運動に変換されることで、前記往復駆動手段８の往復部材９、ひいてはこの往復部材９に取り付けられたフック保持体１２及びフック１３は、図１における左右方向に往復動する。なお、前記前外殻体４の開口部１０は前記防水膜１１によって水密に封止されているため、前記開口部１０から前記本体２内に水が侵入することが防止される。また、前記防水膜１１は合成ゴム等によってダイヤフラム状に形成されているため、前記往復部材９及びフック保持体１２の往復運動に従動して撓むことで、前記開口部１０の封止状態を保つことができる。そして、前記フック１３が往復動することで、このフック１３が掛けられた前記フック受部２０を有する前記ブラシ部３の基部１６は、図２と図４の状態の間で、前記基部１６の中央部の面方向に対して直交する方向に繰り返し撓むことになる。なお、このとき、前記基部１６が撓むことで、この基部１６に設けられた突起１７も動くことになる。具体的には、無負荷の状態において、前記各突起１７は、前記基部１６が最も突出した図２の状態において、全体として先端が広がった状態（開いた状態）であると共に、前記基部１６が最も凹んだ図４の状態において、少なくとも前記第二及び第三突起列２２，２３の突起１７群の先端が狭まった状態（閉じた状態）となる。
【００１６】
そして、このように動作する突起１７を人体の頭皮Ｓ等に押し当てて、頭皮Ｓの洗浄やマッサージを行うと、図６と図７に示す状態の間で動作することになる。即ち、前記基部１６が最も突出した図２の状態から、前記各突起１７を凸曲面状の頭皮Ｓ等に押し当てると、図６に示すように前記各突起１７が撓むことになる。この際、前述したように、図２の状態で、前記各突起１７が全体として先端が広がった状態（開いた状態）となっていることから、前記各突起１７を頭皮Ｓ等に押し当てると、前記各突起１７は、それ自身を通る前記仮想輻線Ｒ１，Ｒ２，Ｒ３に沿って、前記基板１６の中心Ｘから離れる方向（遠心方向）に撓んで倒れることになる。そして、前記基部１６が前記往復駆動手段８によって引き込まれて凹むと、図７に示す状態となる。即ち、前記各突起１７は、突起列によって移動量が異なるものの、前記突起１７自身を通る前記仮想輻線Ｒ１，Ｒ２，Ｒ３に沿って、前記基板１６の中心Ｘに近付く方向（求心方向）に首振り運動する。この際、前記各突起１７は、撓み量を増減させながら、首振り運動することになる。そして、前記突起１７群を頭皮Ｓに当接させた状態で開閉させることで、頭皮Ｓは、揉まれるように、或いは掻かれるように刺激を受ける。なお、図示しないが、図４の状態から頭皮Ｓに前記各突起１７を押し当てた場合、少なくとも前記第二及び第三突起列２２，２３の突起１７は、それ自身を通る前記仮想輻線Ｒ１，Ｒ２，Ｒ３に沿って、前記基板１６の中心Ｘに近付く方向（求心方向）に撓んで倒れることになる。
【００１７】
なお、頭皮Ｓを洗浄或いはマッサージする場合、撓んで倒れた前記突起１７間に毛髪が挟まれる可能性がある。しかしながら、同じ突起列に属する前記突起１７同士は、十分な間隔を置いて設けられていると共に、何れもそれら自身を通る前記仮想輻線Ｒ１，Ｒ２，Ｒ３に沿って撓んで倒れるので、前記各突起１７同士が接触する可能性を低くすることができる。従って、同じ突起列に属する前記突起１７間に毛髪が挟まれる可能性を低くすることができる。また、前述したように、前記第一突起列２１に属する突起１７とこれに隣接する第二突起列２２に属する突起１７、或いは前記第二突起列２２に属する突起１７とこれに隣接する第三突起列２３に属する突起１７が、共通の前記仮想輻線Ｒ１，Ｒ２，Ｒ３上に設けられていないので、前記突起１７が頭皮Ｓに押し付けられることで撓んで倒れたとしても、前記各突起１７が倒れる方向に、隣接した突起列に属する他の突起１７が存在しないことで、前記各突起１７同士が接触する可能性を低くすることができる。従って、互いに隣接する突起列に属する前記突起１７間に毛髪が挟まれる可能性を低くすることができる。なお、本例では、前記第三突起列２３に属する突起１７と前記第一突起列２１に属する突起１７の一部とが、共通の前記第三仮想輻線Ｒ３上に位置するが、前記第一突起列２１と第三突起列２３とが隣接していないことで十分に離れているので、前記第三仮想輻線Ｒ３に沿って前記第三突起列２３に属する突起１７と前記第一突起列２１に属する突起１７とが倒れたとしても、これらが接触する可能性は低い。従って、前記第三突起列２３に属する突起１７と前記第一突起列２１に属する突起１７との間に毛髪が挟まれる可能性は低い。このように、前記各突起１７間に毛髪が挟まる可能性を低くすることで、使用者が痛みを感じたり、或いは毛髪が抜けてしまったりする虞を減ずることができる。
【００１８】
以上のように本発明は、可撓性を有する材質から成る基部１６及びこの基部１６の面に対して交差する方向に突出して設けられた複数の突起１７とを有して構成されるブラシ部３と、前記基部１６の周縁を着脱自在に保持する枠体１４及び前記基部１６の面と交差する方向にこの基部１６を撓ませる往復駆動手段８とを有して構成される本体２とで構成される電動式ブラシ装置１であって、前記複数の突起１７を、前記基部１６の中心Ｘ回りに複数列環状に設けると共に、互いに隣接する突起列に属する前記突起１７を、前記基部１６の中心Ｘから延びる仮想輻線Ｒ１，Ｒ２，Ｒ３上に排他的に設けることで、前記ブラシ部３を頭皮Ｓ等に押し当てて前記突起１７を撓ませたとしても、互いに隣接する突起列に属する前記突起１７同士が当接しにくいので、これらの突起１７間に毛髪等を挟みにくくすることができるものである。
【００１９】
次に、本発明の第二の実施形態について、図８及び図９に基づいて説明する。なお、本実施形態と第一の実施形態は、本実施形態のブラシ部３０と第一の実施形態のブラシ部３が相違し、駆動部としての本体２が共通するので、前記本体２については、その説明を省略する。
【００２０】
前記ブラシ部３０は、基部３１と、この基部３１に設けられた複数の突起３２とで構成されている。なお、本実施形態では、前記基部３１と突起３２とを一体に形成したが、前記基部３１と突起３２とを別体に形成した後、結合させても良い。前記基部３１は、可撓性を有するエラストマー等によって形成されている。そして、前記基部３１は、突起３２側から見て略円形であると共に、自然状態において、中央が外側に滑らかに膨らんだ凸形状に形成されている。また、前記基部３１は、その外周からリブ３３が全周にわたって一体に形成されていると共に、このリブ３３の内側に、前記本体２の係止受部１５と係合する係止部３４が形成されている。更に、前記基部３１の裏面には、その中心部に前記本体２のフック１３を受けるフック受部３５が形成されている。また、前記突起３２は、前記基部３１の中心Ｘを基準として、同心円状に複数列、本実施形態では３列、設けられている。即ち、前記突起３２の群は、前記基部３１の最外周の仮想外側輪Ｃ１上に設けられた第一突起列３６と、前記仮想外側輪Ｃ１の内側の仮想中間輪Ｃ２上に設けられた第二突起列３７と、前記仮想中間輪Ｃ２の内側の仮想内側輪Ｃ３上に設けられた第三突起列３８とで構成されている。また、前記ブラシ部３０の自然状態において、前記各突起３２は、前記基部３１上に全体として先端が外側に広がった状態で設けられている。更に、前記各突起３２は、先端側がやや細くなった略棒状に形成されていると共に、その先端が丸く形成されている。
【００２１】
そして、前記第一突起列３６に属する突起３２を通って前記基部３１の中心Ｘから延びるよう定義される複数の第一仮想輻線Ｒ１は、前記第二突起列３７に属する突起３２を通って前記基部３１の中心Ｘから延びるよう定義される複数の第二仮想輻線Ｒ２の間、或いは複数の前記第二仮想輻線Ｒ２と前記第三突起列３８に属する突起３２を通って前記基部３１の中心Ｘから延びるよう定義される複数の第三仮想輻線Ｒ３との間を通る。同様に、複数の前記第二仮想輻線Ｒ２は、複数の前記第一仮想輻線Ｒ１の間或いは複数の前記第一仮想輻線Ｒ１と第三仮想輻線Ｒ３との間を通り、前記複数の第三仮想輻線Ｒ３は、複数の前記第一仮想輻線Ｒ１と第二仮想輻線Ｒ２との間を通る。（なお、前記仮想輻線Ｒ１，Ｒ２，Ｒ３は、それぞれ前記基部３１の中心Ｘを通る直線ではなく、前記基部３１の中心Ｘを始点とする半直線である。）そして、前記第一仮想輻線Ｒ１上には、前記第一突起列３６に属する突起３２が設けられているものの、他の突起列３７，３８に属する突起３２は設けられていない。また、前記第二仮想輻線Ｒ２上には、前記第二突起列３７に属する突起３２のみが設けられており、他の突起列３６，３８に属する突起３２は設けられていない。更に、前記第三仮想輻線Ｒ３上には、前記第三突起列３８に属する突起３２のみが設けられており、他の突起列３６，３７に属する突起３２は設けられていない。なお、本実施形態でも、説明の簡略化のために、前記ブラシ部３０の基部３１の形状を円形にしたが、楕円形等、他の形状にしても良い。また、本実施形態では、前記第一突起列３６に属する突起３２が２４本、前記第二突起列３７に属する突起３２が２４本、前記第三突起列３８に属する突起３２が１２本設けられているので、前記第一仮想輻線Ｒ１が２４本、前記第二仮想輻線Ｒ２が２４本、前記第三仮想輻線Ｒ３が１２本定義されるが、図面が煩雑になることを防ぐため、図８では、説明に必要な最低限の表記にとどめた。
【００２２】
次に、本実施形態の作用について説明する。まず使用者は、前記ブラシ部３０を把持し、このブラシ部３０の基部２１の裏面に形成されたフック受部３５を前記本体２の外殻体４の開口部１０内で露出した前記フック１３に掛けた後、前記係止部３４を前記係止受部１５に係合させることで、前記ブラシ部３０を前記本体２に対して取り付ける。なお、前記フック１３が最も外側に突出した状態で前記本体２に取り付けられた前記ブラシ部３０は、このブラシ部３０の自然状態における形状とほぼ等しい形状となっている。そして、このように前記ブラシ部３０が前記本体２に取り付けられた状態で、使用者が前記本体２を把持し、図示しないスイッチを操作することで、前記電動機６が作動して、この電動機６の駆動軸が回転する。そして、この駆動軸６の回転運動が、前記減速機構７によって減速された後、前記往復駆動手段８によって往復運動に変換されることで、前記往復駆動手段８の往復部材９、ひいてはこの往復部材９に取り付けられたフック保持体１２及びフック１３は、往復動する。そして、前記フック１３が往復動することで、このフック１３が掛けられた前記フック受部３５を有する前記ブラシ部３０の基部３１は、この基部３１の中央部の面方向に対して直交する方向に繰り返し撓むことになる。なお、このとき、前記基部３１が撓むことで、この基部３１に設けられた突起３２も動くことになる。具体的には、無負荷の状態において、前記各突起３２は、前記基部３１が最も突出した状態において、全体として先端が広がった状態（開いた状態）であると共に、前記基部３１が最も凹んだ状態において、少なくとも前記第二及び第三突起列３７，３８の突起３２群の先端が狭まった状態（閉じた状態）となる。
【００２３】
そして、このように動作する突起３２を人体の頭皮Ｓ等に押し当てると、前記突起３２群によって頭皮Ｓ等が洗浄或いはマッサージされることになる。即ち、前記基部３１が最も突出した状態から、前記各突起３２を凸曲面状の頭皮Ｓ等に押し当てると、前記各突起３２が撓むことになる。この際、前述したように、前記基部３１が最も突出した状態において、前記各突起３２が全体として先端が広がった状態（開いた状態）となっていることから、前記各突起３２を頭皮Ｓ等に押し当てると、前記各突起３２は、それら自身を通る仮想輻線Ｒ１，Ｒ２，Ｒ３に沿って、前記基板３１の中心Ｘから離れる方向（遠心方向）に撓んで倒れることになる。そして、前記基部３１が前記往復駆動手段８によって引き込まれて凹むと、前記各突起３２は、突起列によって移動量が異なるものの、前記突起３２自身を通る仮想輻線Ｒ１，Ｒ２，Ｒ３に沿って、前記基板３１の中心Ｘに近付く方向（求心方向）に首振り運動する。この際、前記各突起３２は、撓み量を増減させながら、首振り運動することになる。そして、前記突起３２群を頭皮Ｓに当接させた状態で開閉させることで、頭皮Ｓは、揉まれるように、或いは掻かれるように刺激を受ける。なお、図示しないが、前記突起３２群の先端が狭まった状態（閉じた状態）から頭皮Ｓに前記各突起３２を押し当てた場合、内側の幾つかの突起列に属する前記突起３２は、それら自身を通る仮想輻線Ｒ１，Ｒ２，Ｒ３に沿って、前記基板３１の中心Ｘに近付く方向（求心方向）に撓んで倒れることになる。
【００２４】
なお、頭皮Ｓを洗浄或いはマッサージする場合、撓んで倒れた前記突起３２間に毛髪が挟まれる可能性がある。しかしながら、同じ突起列に属する前記突起３２同士は、十分な間隔を置いて設けられていると共に、何れも前記突起３２自身を通る仮想輻線Ｒ１，Ｒ２，Ｒ３に沿って撓んで倒れるので、前記各突起３２同士が接触する可能性を低くすることができる。従って、同じ突起列に属する前記各突起３２間に毛髪が挟まれる可能性を低くすることができる。また、前述したように、前記第一突起列３６に属する突起３２と前記第二突起列３７に属する突起３２と前記第三突起列３８に属する突起３２とが、共通の仮想輻線Ｒ１，Ｒ２，Ｒ３上に設けられていない、即ち、一つの仮想輻線Ｒ１，Ｒ２，Ｒ３上には、前記突起３２が一つだけしか設けられないので、前記突起３２が頭皮Ｓに押し付けられることで撓んで倒れたとしても、前記各突起３２が倒れる方向に他の突起３２が存在しないことで、前記各突起３２同士が接触する可能性を低くすることができる。従って、異なる突起列に属する前記突起３２間に毛髪が挟まれる可能性を低くすることができる。このように、前記各突起３２間に毛髪が挟まる可能性を低くすることで、使用者が痛みを感じたり、或いは毛髪が抜けてしまったりする虞を減ずることができる。
【００２５】
以上のように本発明は、可撓性を有する材質から成る基部３１及びこの基部３１の面に対して交差する方向に突出して設けられた複数の突起３２とを有して構成されるブラシ部３０と、前記基部３１の周縁を着脱自在に保持する枠体１４及び前記基部３１の面と交差する方向にこの基部３１を撓ませる往復駆動手段８とを有して構成される本体２とで構成される電動式ブラシ装置であって、前記複数の突起３２を、前記基部３１の中心Ｘ回りに複数列環状に設けると共に、互いに隣接する突起列に属する前記突起３２を、前記基部３１の中心Ｘから延びる仮想輻線Ｒ１，Ｒ２，Ｒ３上に排他的に設けることで、ブラシ部３０を頭皮Ｓ等に押し当てて前記突起３２を撓ませたとしても、各突起３２同士が当接しにくいので、前記各突起３２間に毛髪等を挟みにくくすることができるものである。
【００２６】
また、本発明は、全ての前記各突起３２を、前記基部３１の中心Ｘから延びる前記仮想輻線Ｒ１，Ｒ２，Ｒ３上に排他的に設けることにより、各突起列３６，３７，３８の間隔を狭くして前記突起３２の数を多くしたとしても、前記各突起３２間に毛髪等を挟みにくくすることができるものである。
【００２７】
なお、本発明は以上の実施形態に限定されるものではなく、発明の要旨の範囲内で種々の変形実施が可能である。例えば、上記各実施形態では、基部上に三列の突起列を設けたが、突起列の数は任意である。また、各突起列に設けられる突起の数も任意である。ここで、図１０に示すように、ブラシ部４０の各突起列４６，４７，４８に属する突起４２の数をそれぞれ奇数とした場合、仮想輻線Ｒ１とＲ２、或いは仮想輻線Ｒ３とＲ２とが直線状に並ぶ場合があり得る。この場合、基部４１の中心Ｘを通る直線上に、互いに隣接する第一突起列４６と第二突起列４７の突起４２、或いは互いに隣接する第二突起列４７と第三突起列４８の突起４２が位置することになる。しかしながら、前述したように、前記仮想輻線Ｒ１，Ｒ２，Ｒ３は、何れも基部４１の中心Ｘを始点とする半直線と定義されるので、前記第一突起列４６の突起４２を通る前記第一仮想輻線Ｒ１上には、前記第一突起列４６に隣接する前記第二突起列４７の突起４２が設けられることはなく、また、前記第二突起列４７の突起４２を通る前記第二仮想輻線Ｒ２上には、前記第二突起列４７に隣接する前記第一突起列４６及び第三突起列４８の突起４２が設けられることはなく、前記第三突起列４８の突起４２を通る前記仮想輻線Ｒ３上には、前記第三突起列４８に隣接する前記第二突起列４７の突起４２が設けられることはない。即ち、直線状に並ぶ二つの仮想輻線上に、互いに隣接する突起列の突起がそれぞれ設けられることがあったとしても、一つの仮想輻線上には、互いに隣接する突起列の突起が設けられることはない。更に、突起列によって、突起の太さ、長さ、或いは材質を違えても良い。
【符号の説明】
【００２８】
１  電動式ブラシ装置
２  本体（駆動部）
３，３０，４０  ブラシ部
４  外殻体
８  往復駆動手段
９  往復部材（往復駆動手段）
１４  枠体
１５  係止受部
１６，３１，４１  基部
１７，３２，４２  突起
２１，３６，４６  第一突起列
２２，３７，４７  第二突起列
２３，３８，４８  第三突起列
Ｘ  中心
Ｃ１  仮想外側輪
Ｃ２  仮想中間輪
Ｃ３  仮想内側輪
Ｒ１  第一仮想輻線（輻線）
Ｒ２  第二仮想輻線（輻線）
Ｒ３  第三仮想輻線（輻線）
【図１】
2010162182.tif 000003
【図２】
2010162182.tif 000004
【図３】
2010162182.tif 000005
【図４】
2010162182.tif 000006
【図５】
2010162182.tif 000007
【図６】
2010162182.tif 000008
【図７】
2010162182.tif 000009
【図８】
2010162182.tif 000010
【図９】
2010162182.tif 000011
【図１０】
2010162182.tif 000012